(57)【要約】【課題】音声出力可能なディスプレイ装置の低音の出力特性を向上させる技術を提供する。【解決手段】液晶テレビ１０において、スピーカ３０ａの後方に放出される音は、背面開口部２０ａ及び入力開口部６１ａを介してテレビ取付金具５０ａの内部に取り込まれる。そして、テレビ取付金具５０ａの内部に取り込まれた音（特に低音）は、テレビ取付金具５０ａの内部が構成で定まる形状及び容積によって共鳴することで増幅され、出力開口部６２ａから出力される。【選択図】図４
2011120162.tif 000002
【特許請求の範囲】
【請求項１】
中空で両端部もしくは方端部が閉塞された筒状体と、
ディスプレイ装置の背面に設けられたマウント用のネジ穴に取り付け可能に設けられたネジ固定手段と、
を備え、
前記筒状体は、前記ディスプレイ装置から出力された音を取り込む第１の開口と、前記第１の開口から入力した低音を増幅可能な位置に設けられた第２の開口と、を備えることを特徴とするディスプレイ装置用アタッチメント。
【請求項２】
前記第１の開口は、前記ディスプレイ装置に固定されたときに、前記ディスプレイ装置の背面に設けられた音放出用の開口に一致するように設けられたことを特徴とする請求項１に記載のディスプレイ装置用アタッチメント。
【請求項３】
当該ディスプレイ装置用アタッチメントは、壁掛用金具として機能することを特徴とする請求項１または２に記載のディスプレイ装置用アタッチメント。
【請求項４】
前記筒状体の内部に、低音の増幅のために導音路が形成されていることを特徴とする請求項１から３までのいずれかに記載のディスプレイ装置用アタッチメント。
【請求項５】
前記第２の開口は複数設けられており、所定の閉塞手段によって閉塞可能であることを特徴とする請求項１から４までのいずれかに記載のディスプレイ装置用アタッチメント。
【請求項６】
前記第１の開口は複数設けられており、所定の閉塞手段によって閉塞可能であることを特徴とする請求項１から５までのいずれかに記載のディスプレイ装置用アタッチメント。
【請求項７】
前記第１の開口は、筒状体の一方の端部を開口とすることで形成され、
前記第１の開口の内部に音を反射させ導く反射手段を備えることを特徴とする請求項１から６までのいずれかに記載のディスプレイ装置用アタッチメント。
【請求項８】
請求項１から７までのいずれかに記載のディスプレイ装置用アタッチメントを備えることを特徴とするディスプレイ装置。
【発明の詳細な説明】
【技術分野】
【０００１】
本発明は、ディスプレイ用アタッチメント及びディスプレイ装置に係り、例えば、液晶テレビや液晶モニタなどの薄型ディスプレイ装置の背面に設けられたマウント用のネジ穴に取付可能なディスプレイ装置用アタッチメント及びその様なディスプレイ装置用アタッチメントを備えるディスプレイ装置に関する。
【背景技術】
【０００２】
薄型テレビは、その薄さゆえにスピーカの増幅ボックスが小型になる傾向があり、重低音を十分に伸ばすことが難しいという課題を抱えている。近年、薄型テレビの大型化が進んでいるが、一方で、薄型化の傾向も依然として強く、音声出力、特に低音の出力に関しては、構造上非常に厳しい状況になっている。
【０００３】
そのため、低音出力の特性改善のために、様々な技術が提案されている。例えば、従来から行われている一般的な技術としては、低音を強調したり、音場補正したりすることで所望の音響効果を得るようにした技術がある。また、スピーカの向きを、表示パネルの面方向、つまり略鉛直下方向として取り付けた技術がある（例えば、特許文献１参照）。この特許文献１に開示の技術を採用することで、スピーカのキャビネットの奥行き方向を確保して、低音の出力を改善している。
【先行技術文献】
【特許文献】
【０００４】
【特許文献１】特開２００８−２１１３８１号公報
【発明の概要】
【発明が解決しようとする課題】
【０００５】
ところで、特許文献１の開示の技術を採用することで、低音出力の改善とディスプレイ装置の薄型化に大きな改善が実現された。しかしながら、ユーザによっては、さらなる低音出力を望むこともあり、別の技術が求められていた。一方で、近年の傾向として、ディスプレイ装置の薄型化及びそれに伴う壁掛け使用は、マーケットにおける大きな遡及ポイントとなっており、薄型化において不足しがちな低音の補強が可能となる別の技術が求められていた。
【０００６】
本発明の目的は、上記課題に鑑み、音声出力可能なディスプレイ装置の低音の出力特性を向上させる技術を提供することにある。
【課題を解決するための手段】
【０００７】
本発明のディスプレイ装置用アタッチメントは、中空で両端部もしくは方端部が閉塞された筒状体と、ディスプレイ装置の背面に設けられたマウント用のネジ穴に取り付け可能に設けられたネジ固定手段と、を備え、前記筒状体は、前記ディスプレイ装置から出力された音を取り込む第１の開口と、前記第１の開口から入力した低音を増幅可能な位置に設けられた第２の開口と、を備える。
また、前記第１の開口は、前記ディスプレイ装置に固定されたときに、前記ディスプレイ装置の背面に設けられた音放出用の開口に一致するように設けられてもよい。
また、前記アタッチメントは、壁掛用金具として機能してもよい。
また、前記筒状体の内部に、低音の増幅のために導音路が形成されてもよい。
また、前記第２の開口は複数設けられており、所定の閉塞手段によって閉塞可能であってもよい。
また、前記第１の開口は複数設けられており、所定の閉塞手段によって閉塞可能であってもよい。
また、前記第１の開口は、筒状体の一方の端部を開口とすることで形成され、前記第1の開口の内部に音を反射させ導く反射手段を備えてもよい。
本発明のディスプレイ装置は上記のディスプレイ装置用アタッチメントを備えている。
【発明の効果】
【０００８】
本発明によれば、音声出力可能なディスプレイ装置の低音の出力特性を向上させる技術を提供することができる。
【図面の簡単な説明】
【０００９】
【図１】本実施形態に係る、液晶テレビの斜視図である。
【図２】本実施形態に係る、液晶テレビを模式的に示した図である。
【図３】本実施形態に係る、テレビ取付金具を模式的に示した図である。
【図４】本実施形態に係る、テレビ取付金具と液晶テレビの接続態様について模式的に示した図である。
【図５】本実施形態に係る、テレビ取付金具が取り付けられた液晶テレビの背面から見た状態を模式的に示した図である。
【図６】本実施形態の変形例に係る、テレビ取付金具を模式的に示した図である。
【図７】本実施形態の変形例に係る、テレビ取付金具を模式的に示した図である。
【図８】本実施形態の変形例に係る、テレビ取付金具を模式的に示した図である。
【図９】本実施形態の変形例に係る、テレビ取付金具を模式的に示した図である。
【発明を実施するための形態】
【００１０】
次に、本発明を実施するための形態（以下、単に「実施形態」という）を、図面を参照して具体的に説明する。本実施形態の概要は、薄型テレビを壁に取り付けるために背面に取り付けられる金具（アングル）を中空の筒状体として、スピーカの背面孔（背面開口部２０）と接続することで、金具を共鳴ボックスとして利用する。これにより主に低音を中心として音響の改善を図る。
【００１１】
図１は、本実施形態に係る液晶テレビ１０の斜視図である。図示のように、液晶テレビ１０の背面１１には、左右対称に一対のテレビ取付金具５０ａ、５０ｂ（図示中、破線で示す）が取り付けられている、そして、それらテレビ取付金具５０ａ、５０ｂを、壁に設置された壁金具９０に取り付けることで、液晶テレビ１０は壁に設置される。
【００１２】
図２は、液晶テレビ１０を模式的に示した正面図（図２（ａ））、側面図（図２（ｂ））及び背面図（図２（ｃ））であり、主に、スピーカ３０ａ、３０ｂとテレビ取付金具５０ａ、５０ｂの取り付け構造（ネジ螺着部１２ａ、１３ａ、１２ｂ、１３ｂ）に着目して示している。
【００１３】
図示のように、液晶テレビ１０の背面１１には、テレビ取付金具５０ａ、５０ｂを取り付けるためのネジ螺着部１２ａ、１３ａ、１２ｂ、１３ｂが、所定の配置で形成されている。所定の配置は、例えばＶＥＳＡ規格によるものである。また、液晶テレビ１０の下側の内部には、スピーカ３０ａ、３０ｂが左右対称に設けられている。さらに、スピーカ３０ａ、３０ｂの後側のキャビネットには、低音の出力特性向上を図る機能を有する背面開口部２０ａ、２０ｂが形成されている。
【００１４】
図３は、テレビ取付金具５０ａを模式的に示した側面図（図３（ａ））、正面図（図３（ｂ））、及び背面図（図３（ｃ）））である。以下では、テレビ取付金具５０ａについて説明し、テレビ取付金具５０ｂについては、形状が左右対称であり説明は省略する。また、図４は、テレビ取付金具５０ａと液晶テレビ１０の接続態様について、接続前の状態（図４（ａ））、接続された状態（図４（ｂ））、及び主に音の流れについて示した状態を示した図（図４（ｃ））である。また、図５は、テレビ取付金具５０ａ、５０ｂが取り付けられた液晶テレビ１０の背面から見た図であり、図４（ｂ）に対応する。
【００１５】
図３に示すように、テレビ取付金具５０ａは、例えばスチール製の内部が中空で上下の端部が閉塞された箱形の筒状体である。液晶テレビ１０の背面１１のＶＥＳＡ規格に基づいて設けられたネジ螺着部１２ａ、１３ａに対応した位置に、前後方向（金具背面７２ａ、金具前面７３ａ）に貫通するネジ穴部５３ａ、５４ａが上下に二つ形成されている。具体的には、下側に設けられたネジ穴部５４ａと、その上方向に所定長離間して設けられたネジ穴部５３ａとが形成されている。そして、テレビ取付金具５０ａの金具背面７３ａにおいて、下側のネジ穴部５４ａから所定長下側に離れた位置に、内部と外部を連通する入力開口部６１ａが形成されている。
【００１６】
この入力開口部６１ａは、ここでは円筒状の突出した構造となっている。図４（ｂ）に示すように、テレビ取付金具５０ａが、ネジやビス等によって貫通固定され液晶テレビ１０の背面１１に取り付けられたときに、ちょうど、液晶テレビ１０の背面開口部２０ａの内周面と入力開口部６１ａの外周面とが接するように嵌合する。また、テレビ取付金具５０ａの金具側面７１ａには、出力開口部６２ａが形成されている。この出力開口部６２ａは、テレビ取付金具５０ａが液晶テレビ１０に取り付けられたときに外側を向く側面に形成されている。さらに、テレビ取付金具５０ａは、入力開口部６１ａ及び出力開口部６２ａ以外の部位では、密閉状態が保持された中空構造となっている。なお、壁金具９０は、テレビ取付金具５０ａが取り付けられたときに、出力開口部６２ａを塞がない形状となっている。
【００１７】
つぎに、図４（ｃ）に示すように、スピーカ３０ａの後方に放出される音は、背面開口部２０ａ及び入力開口部６１ａを介してテレビ取付金具５０ａの内部に取り込まれる（図中、Ｓｉｎで示す）。そして、テレビ取付金具５０ａの内部（中空構造内）に取り込まれた音、特に低音は、テレビ取付金具５０ａの構造で定まる形状及び容積によって共鳴されて増幅され、出力開口部６２ａから出力される（図中、Ｓｏｕｔで示す）。なお、入力開口部６１ａ、出力開口部６２ａ及び中空構造は、スピーカ３０ａに対応して適宜最適な形状、大きさ等に設定されることで、より良好な音響効果、つまり低音特性の向上が実現できる。例えば、出力開口部６２ａは、方端（上端や下端）の一部又は全部を開口とした構成であってもよい。また、出力開口部６２ａが、金具側面７１ａとともに方端に形成されてもよい。
【００１８】
このようなテレビ取付金具５０ａを液晶テレビ１０に取り付けることで、液晶テレビ１０のような薄型テレビでありながら、低音の効いた音響効果を得ることができる。また、テレビ取付金具５０ａそのものが増幅ボックスとなるため、追加の構成が不要となる。つまり、テレビ取付金具５０ａ、５０ｂの中空構造が、いわゆるバスレフ構造を構成し、主に低音の出力特性を向上させることができる。また、壁掛けの構造を有効に活用していることから、増幅ボックスとしての機能を追加しても、壁掛けの構造を大型化することが無く、実質、従来の大きさで実現できる。なお、液晶テレビ１０が壁掛けされずにスタンドに取り付けられている場合であっても、テレビ取付金具５０ａは液晶テレビ１０に取り付けられて使用されてもよい。また、壁掛けを目的とせずに、音響効果を得るために、いわゆるアクセサリ（オプション）装備として用いられてもよい。アクセサリとして用いる場合は、形状等の制限が緩和されることから、より大きな音響効果を得ることが出来るようになる。
【００１９】
図６に、変形例に係るテレビ取付金具１５０ａ、２５０ａを示す。ここでも、上述のテレビ取付金具５０ａに対応する背面視で左側に取り付けられる金具について示している。図６（ａ）のテレビ取付金具１５０ａに示すように、金具側面７１ａに形成される出力開口部１６２ａを上下にのばした細長い形状としてもよい。また、図６（ｂ）のテレビ取付金具２５０ａに示すように、複数の出力開口部２６２ａが形成されてもよい。そして、ユーザが、適宜所望の出力開口部２６２ａをゴム栓等で閉塞可能としてもよい。これによって、ユーザが所望の音響効果に調整することができる。
【００２０】
図７に別の変形例のテレビ取付金具３５０ａを示す。このテレビ取付金具３５０ａは、共鳴効果を増すために、テレビ取付金具３５０ａの内部に、導音壁５７ａ〜５９ａを設けて導音路が形成されている。このように導音路を形成することで、低音の出力特性を向上させることができる。
【００２１】
図８に、さらに別の変形例のテレビ取付金具４５０ａを示す。図示のように、ネジ穴部５３ａ、５４ａが形成される部位４５１ａと、中空構造（増幅ボックス）が形成される部位４５２ａを別にしてもよい。このような構造とすることで、中空構造の設計の自由度が向上する。
【００２２】
図９に、さらに別の変形例のテレビ取付金具５５０ａ、５５０ｂを示す。近年、スピーカ３０ａを隠したデザインの液晶テレビ１０のようなテレビが多くなっており、この種類のテレビは下方に音を出し、前方に音を反射させて音響効果を生み出している。上述の特許文献１に開示のスピーカも同様である。ここでも、背面視で左側のテレビ取付金具５５０ａについて説明する。
【００２３】
図９（ａ）及び（ｂ）に示すように、テレビ取付金具５５０ａは、共鳴効果（増幅効果）を有する筒状体５５５ａと、液晶テレビ１０の下部に突き出すような形の反射板５６０ａを備える。また、テレビ取付金具５５０ａは、上述の入力開口部６１ａの代わりに、下端面５７５ａが開口しており、反射板５６０ａで反射した音を取り込むようになっている。また、増幅ボックスである筒状体５５５ａは、増幅した音響効果を外に出すために側面５５１ａに出力開口部５６２ａを設けている。
【００２４】
反射板５６０ａは凸構造５７０ａを備え、液晶テレビ１０下方に出力される音を前方と後方に反射させる。後方に反射された音は増幅ボックスである筒状体５５５ａ内に達し、低音が増幅され、出力開口部５６２ａから出力される。
【００２５】
なお、図９（ｃ）に示すように、液晶テレビ１０の大きさ等に応じて、テレビ取付金具５５０ａの位置を調整できるよう、筒状体５５５ａの長さが可変となってもよい。さらに、図９（ｄ）に示すように、反射板５６０ａの位置が変更可能とする構造であってもよい。このような構成とすることで、反射板５６０ａが適切な位置に調整することが出来る。さらにまた、図９（ｅ）に示すように、反射板５６０ａの向きが調整可能であってもよい。
【００２６】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【００２７】
例えば、図示はしないが、筒状体の中空構造を取付金具とは別体として、中空構造を取付金具と接続させるようにしてもよい。別体に設けられた中空構造を取り替え可能とすると、ユーザは所望の低音特性を選択することができる。また、金具の中空構造内に共鳴効果が得られる箱体を挿入するタイプとしてもよい。またさらに、入力開口部６１ａは突状に形成され、背面開口部２０ａに嵌るようになっているが、当然に、背面開口部２０ａが突状に形成され、背面開口部２０ａが入力開口部６１ａに嵌るようになってもよい。また、平面同士が合わさる構造でもよく、接合部分から音が漏れないような構造であればよく、音の入力効率を良好にするために、内部にプラスチックコーティングを施し、反射率を上げるようにしてもよい。また、背面開口部２０ａと入力開口部６１ａの接続に、蛇腹状の構造やチューブ状の構造を利用して、接続位置の調整を可能とする構造が採用されてもよい。さらにまた、複数の種類の液晶テレビ１０に対応可能として汎用性を持たせるために、出力開口部６２ａを複数設け、必要な入力開口部６１ａ以外をゴム栓等で閉塞するようにしてもよい。特に、背面開口部２０ａ及び入力開口部６１ａともに複数設けられ、複数のタイプのディスプレイ装置に対応可能にした場合、開口部分を適宜ゴム栓等で閉塞可能とすることで、音響効果をより効果的に調整することが出来る。
【符号の説明】
【００２８】
１０  液晶テレビ
５０、５０ａ、５０ｂ、１５０ａ、２５０ａ、３５０ａ、４５０ａ、５５０ａ、５５０ｂ  テレビ取付金具
６１ａ、６１ｂ  入力開口部
６２ａ、６２ｂ、１６２ａ、２６２ａ  出力開口部
５７ａ〜５９ａ  導音壁
５５５ａ  筒状体
５６０ａ  反射板
【図１】
2011120162.tif 000003
【図２】
2011120162.tif 000004
【図３】
2011120162.tif 000005
【図４】
2011120162.tif 000006
【図５】
2011120162.tif 000007
【図６】
2011120162.tif 000008
【図７】
2011120162.tif 000009
【図８】
2011120162.tif 000010
【図９】
2011120162.tif 000011